【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
アンライセンス周波数スペクトルにおいてダウンリンク制御情報（ＤＣＩ）トリガについて１つまたは複数のサブフレームを監視することと、
リッスンビフォアトークプロシージャが成功したときに、サブフレーム中で前記ＤＣＩトリガを受信することと、前記ＤＣＩトリガは、複数のＵＥに関連付けられ、前記ＤＣＩトリガは、前記複数のＵＥのためにリザーブされた複数のリソースを示し、前記ＤＣＩトリガは、前記複数のリソースのうちの少なくとも１つのリソースが前記ＵＥによるアップリンク制御情報（ＵＣＩ）の送信のためにリザーブされることを示す、
前記ＵＥによる前記ＵＣＩの前記送信のためにリザーブされた前記複数のリソースのうちの前記少なくとも１つのリソースが後続のサブフレームに位置することを前記ＤＣＩトリガが示すときに、前記アンライセンス周波数スペクトルにおいて前記後続のサブフレームを使用して前記ＵＣＩを送信することと、
を備える、方法。
【請求項２】
前記ＤＣＩトリガは、物理アップリンク共有チャネル（ＰＵＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
請求項１に記載の方法。
【請求項３】
前記ＤＣＩトリガは、物理アップリンク共有チャネル（ＰＵＳＣＨ）グラントにおいて受信され、
前記ＵＣＩを前記送信することは、前記後続のサブフレーム中でＰＵＳＣＨ中に前記ＵＣＩを含めることを備える、
請求項１に記載の方法。
【請求項４】
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項１に記載の方法。
【請求項５】
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項１に記載の方法。
【請求項６】
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中でＰＵＳＣＨ中に前記ＵＣＩを含めることを備える、
請求項１に記載の方法。
【請求項７】
前記ＤＣＩトリガは、前記ＵＥグループ中の複数のＵＥのインデックスを含むＵＥグループグラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
請求項１に記載の方法。
【請求項８】
前記ＤＣＩトリガは、前記ＵＥグループ中の複数のＵＥのインデックスを含むＵＥグループグラントにおいて受信され、前記方法は、
前記ＤＣＩトリガを復号することによって、やはり前記ＤＣＩトリガを受信した前記グループ中の先行するＵＥの数を決定することと、
やはり前記ＤＣＩトリガを受信した前記グループ中の先行するＵＥの前記数および前記インデックスでの位置に基づいて、前記ＵＣＩを送信すべき前記後続のサブフレーム中の特定のリソースを決定することと、
をさらに備える、請求項１に記載の方法。
【請求項９】
物理アップリンク共有チャネル（ＰＵＳＣＨ）グラントを受信することをさらに備え、
前記ＤＣＩトリガは、前記ＵＥグループ中の複数のＵＥのインデックスを含むＵＥグループグラントにおいて受信され、
前記ＵＣＩを前記送信することは、前記後続のサブフレーム中で物理アップリンク制御チャネル（ＰＵＣＣＨ）またはＰＵＳＣＨ中に前記ＵＣＩを含めることを備える、
請求項１に記載の方法。
【請求項１０】
前記ＤＣＩトリガは、前記ＵＥグループ中の複数のＵＥのインデックスを含むＵＥグループグラントにおいて受信され、
前記ＵＣＩを前記送信することは、物理アップリンク共有チャネル（ＰＵＳＣＨ）グラントを受信することなしに前記後続のサブフレーム中でＰＵＳＣＨ中に前記ＵＣＩを含めることを備える、
請求項１に記載の方法。
【請求項１１】
基地局のワイヤレス通信の方法であって、
アンライセンス周波数スペクトルにおいてダウンリンク制御情報（ＤＣＩ）トリガを含むように１つまたは複数のサブフレームを設定することと、
リッスンビフォアトークプロシージャが成功したときに、前記１つまたは複数のサブフレーム中で前記ＤＣＩトリガを送信することと、前記ＤＣＩトリガは、複数のＵＥに関連付けられ、前記ＤＣＩトリガは、前記複数のＵＥのためにリザーブされた複数のリソースを示し、前記ＤＣＩトリガは、前記複数のリソースのうちの少なくとも１つのリソースが前記ＵＥによるアップリンク制御情報（ＵＣＩ）の送信のためにリザーブされることを示す、
前記ＵＥによる前記ＵＣＩの前記送信のためにリザーブされた前記複数のリソースのうちの前記少なくとも１つのリソースが後続のサブフレームに位置することを前記ＤＣＩトリガが示すときに、前記ＵＥから前記アンライセンス周波数スペクトルにおいて前記後続のサブフレーム中で前記ＵＣＩを受信することと、
を備える、方法。
【請求項１２】
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
請求項１１に記載の方法。
【請求項１３】
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項１４】
前記ＤＣＩトリガを前記送信することは、物理ダウンリンク共有チャネル（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項１１に記載の方法。
【請求項１５】
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項１１に記載の方法。
【請求項１６】
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項１７】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
請求項１１に記載の方法。
【請求項１８】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中の特定のリソースにおいて前記ＵＣＩを受信することを備え、
前記特定のリソースは、やはり前記ＤＣＩトリガを受信した前記グループ中の先行するＵＥの数および前記グループ中のＵＥの前記インデックスによって設定される、
請求項１１に記載の方法。
【請求項１９】
物理アップリンク共有チャネル（ＰＵＳＣＨ）グラントを送信することをさらに備え、
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項２０】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、物理アップリンク共有チャネル（ＰＵＳＣＨ）グラントを送信することなしにＰＵＳＣＨにおいて前記ＵＣＩを受信することを備える、
請求項１１に記載の方法。
【請求項２１】
ワイヤレス通信のための装置であって、
メモリと、
前記メモリに結合された少なくとも１つのプロセッサと、を備え、前記少なくとも１つのプロセッサは、
アンライセンス周波数スペクトルにおいてダウンリンク制御情報（ＤＣＩ）トリガについて１つまたは複数のサブフレームを監視することと、
リッスンビフォアトークプロシージャが成功したときに、サブフレーム中で前記ＤＣＩトリガを受信することと、前記ＤＣＩトリガは、複数のＵＥに関連付けられ、前記ＤＣＩトリガは、前記複数のＵＥのためにリザーブされた複数のリソースを示し、前記ＤＣＩトリガは、前記複数のリソースのうちの少なくとも１つのリソースが前記ＵＥによるアップリンク制御情報（ＵＣＩ）の送信のためにリザーブされることを示す、
前記ＵＥによる前記ＵＣＩの前記送信のためにリザーブされた前記複数のリソースのうちの前記少なくとも１つのリソースが後続のサブフレームに位置することを前記ＤＣＩトリガが示すときに、前記アンライセンス周波数スペクトルにおいて前記後続のサブフレームを使用して前記ＵＣＩを送信することと、
を行うように構成される、
装置。
【請求項２２】
前記ＤＣＩトリガは、物理アップリンク共有チャネル（ＰＵＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
請求項２１に記載の装置。
【請求項２３】
前記ＤＣＩトリガは、物理アップリンク共有チャネル（ＰＵＳＣＨ）グラントにおいて受信され、
前記少なくとも１つのプロセッサは、前記後続のサブフレーム中でＰＵＳＣＨ中に前記ＵＣＩを含めることによって前記ＵＣＩを送信するように構成される、
請求項２１に記載の装置。
【請求項２４】
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項２１に記載の装置。
【請求項２５】
少なくとも１つのプロセッサは、物理アップリンク共有チャネル（ＰＵＳＣＨ）グラントを受信するようにさらに構成され、
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項２１に記載の装置。
【請求項２６】
ワイヤレス通信のための装置であって、
メモリと、
前記メモリに結合された少なくとも１つのプロセッサと、を備え、前記少なくとも１つのプロセッサは、
アンライセンス周波数スペクトルにおいてダウンリンク制御情報（ＤＣＩ）トリガを含むように１つまたは複数のサブフレームを設定することと、
リッスンビフォアトークプロシージャが成功したときに、前記１つまたは複数のサブフレーム中で前記ＤＣＩトリガを送信することと、前記ＤＣＩトリガは、複数のＵＥに関連付けられ、前記ＤＣＩトリガは、前記複数のＵＥのためにリザーブされた複数のリソースを示し、前記ＤＣＩトリガは、前記複数のリソースのうちの少なくとも１つのリソースが前記ＵＥによるアップリンク制御情報（ＵＣＩ）の送信のためにリザーブされることを示す、
前記ＵＥによる前記ＵＣＩの前記送信のためにリザーブされた前記複数のリソースのうちの前記少なくとも１つのリソースが後続のサブフレームに位置することを前記ＤＣＩトリガが示すときに、前記ＵＥから前記アンライセンス周波数スペクトルにおいて前記後続のサブフレーム中で前記ＵＣＩを受信することと、
を行うように構成される、
装置。
【請求項２７】
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
請求項２６に記載の装置。
【請求項２８】
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中でＰＵＳＣＨにおいて前記ＵＣＩを受信することによって前記ＵＣＩを受信するように構成される、
請求項２６に記載の装置。
【請求項２９】
前記少なくとも１つのプロセッサは、物理ダウンリンク共有チャネル（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項２６に記載の装置。
【請求項３０】
前記少なくとも１つのプロセッサは、物理アップリンク共有チャネル（ＰＵＳＣＨ）グラントを送信するようにさらに構成され、
前記少なくとも１つのプロセッサは、物理ダウンリンク共有チャネルグラント（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項２６に記載の装置。
【手続補正２】
【補正対象書類名】明細書
【補正対象項目名】０１１６
【補正方法】変更
【補正の内容】
【０１１６】
[00127]先の説明は、いずれの当業者も本明細書で説明されている様々な態様を実施することを可能とするように提供される。これらの態様への様々な変更は当業者には容易に明らかであり得、本明細書で定義されている包括的な原理は他の態様に適用され得る。したがって、請求項は、本明細書で図示されている態様を限定するように意図されておらず、請求項の記載と一貫した最大範囲を付与されるべきであり、ここにおいて単数での要素への参照は、そのように特別に述べられていない限り、「１つおよび１つだけ」を意味するのではなく、むしろ「１つまたは複数」を意味するように意図されている。「例となる」という言葉は、「例、事例、または例示としての役目をする」を意味するように本明細書では使用されている。「例となる」として本明細書で説明されているあらゆる態様は、必ずしも、他の態様よりも好まれる、または有利であると解釈されるべきではない。別の形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、またはＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または、複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、またはＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１または複数のメンバを含み得る。当業者に既知、もしくはいずれ既知となる本開示全体を通じて説明される様々な態様の要素に対する全ての構造的および機能的な均等物が、参照によって請求項に明示的に組み込まれ、請求項によって包含されるように意図されている。さらに、本明細書で開示されたいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。このように、どのクレーム要素も、該要素が「のための手段」というフレーズを使用して明示的に記載されていない限り、ミーンズプラスファンクションとして解釈されるべきではない。
以下に本願の出願当初の特許請求の範囲に記載された発明を付記する。
［Ｃ１］
ユーザ機器（ＵＥ）のワイヤレス通信の方法であって、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を備える、方法。
［Ｃ２］
前記ＤＣＩトリガは、物理アップリンク共有チャネル（ＰＵＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
Ｃ１に記載の方法。
［Ｃ３］
前記ＤＣＩトリガは、物理アップリンク共有チャネル（ＰＵＳＣＨ）グラントにおいて受信され、
前記ＵＣＩを前記送信することは、前記後続のサブフレーム中でＰＵＳＣＨ中に前記ＵＣＩを含めることを備える、
Ｃ１に記載の方法。
［Ｃ４］
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ１に記載の方法。
［Ｃ５］
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ１に記載の方法。
［Ｃ６］
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中でＰＵＳＣＨ中に前記ＵＣＩを含めることを備える、
Ｃ１に記載の方法。
［Ｃ７］
前記ＤＣＩトリガは、前記ＵＥグループ中の複数のＵＥのインデックスを含むＵＥグループグラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
Ｃ１に記載の方法。
［Ｃ８］
前記ＤＣＩトリガは、前記ＵＥグループ中の複数のＵＥのインデックスを含むＵＥグループグラントにおいて受信され、前記方法は、
前記ＤＣＩトリガを復号することによって、やはり前記ＤＣＩトリガを受信した前記グループ中の先行するＵＥの数を決定することと、
やはり前記ＤＣＩトリガを受信した前記グループ中の先行するＵＥの前記数および前記インデックスでの位置に基づいて、前記ＵＣＩを送信すべき前記後続のサブフレーム中の特定のリソースを決定することと、
をさらに備える、Ｃ１に記載の方法。
［Ｃ９］
物理アップリンク共有チャネル（ＰＵＳＣＨ）グラントを受信することをさらに備え、
前記ＤＣＩトリガは、前記ＵＥグループ中の複数のＵＥのインデックスを含むＵＥグループグラントにおいて受信され、
前記ＵＣＩを前記送信することは、前記後続のサブフレーム中でＰＵＣＣＨまたはＰＵＳＣＨ中に前記ＵＣＩを含めることを備える、
Ｃ１に記載の方法。
［Ｃ１０］
前記ＤＣＩトリガは、前記ＵＥグループ中の複数のＵＥのインデックスを含むＵＥグループグラントにおいて受信され、
前記ＵＣＩを前記送信することは、ＰＵＳＣＨグラントを受信することなしに前記後続のサブフレーム中でＰＵＳＣＨ中に前記ＵＣＩを含めることを備える、
Ｃ１に記載の方法。
［Ｃ１１］
基地局のワイヤレス通信の方法であって、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を備える、方法。
［Ｃ１２］
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
Ｃ１１に記載の方法。
［Ｃ１３］
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ１４］
前記ＤＣＩトリガを前記送信することは、物理ダウンリンク共有チャネル（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ１１に記載の方法。
［Ｃ１５］
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ１１に記載の方法。
［Ｃ１６］
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ１７］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
Ｃ１１に記載の方法。
［Ｃ１８］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中の特定のリソースにおいて前記ＵＣＩを受信することを備え、
前記特定のリソースは、やはり前記ＤＣＩトリガを受信した前記グループ中の先行するＵＥの数および前記グループ中のＵＥの前記インデックスによって設定される、
Ｃ１１に記載の方法。
［Ｃ１９］
物理アップリンク共有チャネル（ＰＵＳＣＨ）グラントを送信することをさらに備え、
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ２０］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、ＰＵＳＣＨグラントを送信することなしにＰＵＳＣＨにおいて前記ＵＣＩを受信することを備える、
Ｃ１１に記載の方法。
［Ｃ２１］
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を行うように構成される、
装置。
［Ｃ２２］
前記ＤＣＩトリガは、物理アップリンク共有チャネル（ＰＵＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
Ｃ２１に記載の装置。
［Ｃ２３］
前記ＤＣＩトリガは、物理アップリンク共有チャネル（ＰＵＳＣＨ）グラントにおいて受信され、
前記少なくとも１つのプロセッサは、前記後続のサブフレーム中でＰＵＳＣＨ中に前記ＵＣＩを含めることによって前記ＵＣＩを送信するように構成される、
Ｃ２１に記載の装置。
［Ｃ２４］
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ２１に記載の装置。
［Ｃ２５］
少なくとも１つのプロセッサは、物理アップリンク共有チャネル（ＰＵＳＣＨ）グラントを受信するようにさらに構成され、
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ２１に記載の装置。
［Ｃ２６］
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を行うように構成される、
装置。
［Ｃ２７］
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
Ｃ２６に記載の装置。
［Ｃ２８］
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中でＰＵＳＣＨにおいて前記ＵＣＩを受信することによって前記ＵＣＩを受信するように構成される、
Ｃ２６に記載の装置。
［Ｃ２９］
前記少なくとも１つのプロセッサは、物理ダウンリンク共有チャネル（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ２６に記載の装置。
［Ｃ３０］
前記少なくとも１つのプロセッサは、物理アップリンク共有チャネル（ＰＵＳＣＨ）グラントを送信するようにさらに構成され、
前記少なくとも１つのプロセッサは、物理ダウンリンク共有チャネルグラント（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ２６に記載の装置。